(57)【要約】【課題】記録装置の録画の停止後、録画モードに復帰させる。【解決手段】扉センサ４２は、収納キャビネットに設けられ、監視カメラ用記録装置が設置された収納キャビネットの扉の戸閉を検知する。扉センサ４２が検知した扉閉信号は、管理作業終了信号入力部２４に入力される。管理作業終了信号入力部２４は、扉閉信号が入力されると、制御部１８に供給する。制御部１８は、扉閉信号が入力されると、管理作業が終了したとして、管理作業のために停止されている録画モードを復帰させる。すなわち、監視カメラ用記録装置を録画可能状態へ復帰させる。これにより、管理作業の終了に伴い、作業員が録画釦３０を操作し忘れていても、監視カメラ用記録装置を自動的に録画モードへ復帰させることができる。【選択図】図２
2006197185.tif 000002
【特許請求の範囲】
【請求項１】
所定の録画モードで監視カメラからの監視画像を記録し、記録された監視画像の管理作業が前記録画モードの停止中に行われる監視カメラ用記録装置であって、
前記管理作業の終了を検知する管理作業終了検知手段と、
前記管理作業終了検知手段が管理作業の終了を検知した場合、録画モードへ復帰させる録画モード復帰手段と、
を備えることを特徴とする監視カメラ用記録装置。
【請求項２】
請求項１に記載の監視カメラ用記録装置であって、
前記管理作業終了検知手段は、前記監視カメラ用記録装置が設置された収納キャビネットの扉が閉じられたことを検知する扉センサを含むことを特徴とする監視カメラ用記録装置。
【請求項３】
請求項１に記載の監視カメラ用記録装置であって、
前記管理作業終了検知手段は、前記監視カメラ用記録装置の設置場所における照明の消灯を検知する照明センサを含むことを特徴とする監視カメラ用記録装置。
【発明の詳細な説明】
【技術分野】
【０００１】
本発明は監視カメラ用記録装置に関し、管理作業後の録画モードへの復帰に関する。
【背景技術】
【０００２】
近年、エレベータやビルの各所に監視カメラが設置され、監視カメラにより撮影された監視画像は侵入者検知や異常検知に利用されている。この監視画像は、通常の監視状態において、録画モードで録画条件が設定され、ＣＣＴＶレコーダ等の記録装置に記録されている。
【０００３】
この記録装置に記録された監視画像は、監視カメラが設置されたビルから異常通報があった場合、作業員によって確認され上述した侵入者検知や異常検知に利用される。また、監視画像がある程度記録装置に蓄積されると、作業員は、別の記憶媒体に保存する。この監視画像の確認作業や保存作業等の管理作業において、作業員は、記録装置の録画モードを一旦停止して、管理作業を行う。管理作業終了後、作業員は、録画モードを復帰させる。
【０００４】
しかしながら、管理作業終了後に、作業員が録画モードに復帰させるのを忘れ、管理作業終了後に監視画像が記録されないという事態がしばしば生じていた。
【０００５】
下記特許文献１は、監視用記録装置に関し、記録再生をしていない停止状態が任意の時間継続した時に、自動的に記録を開始することが開示されている。
【０００６】
【特許文献１】特開２００１−１２６３４２
【発明の開示】
【発明が解決しようとする課題】
【０００７】
上記特許文献１は、監視用記録装置に関し、記録再生をしていない停止状態が任意の時間継続した時に、自動的に記録を開始することが開示されている。この特許文献１の監視用記録装置は、上述した課題を解決することもできるが、予め設定された時間により復帰されてしまうので、管理作業が終了していない状況でないときでも強制復帰される不具合が発生すると考えられる。
【０００８】
そこで本発明は、上記課題を解決するためになされたもので、記録装置の録画の停止後、録画モードに復帰させる監視カメラ用記録装置を提供することを目的とする。
【課題を解決するための手段】
【０００９】
本発明の監視カメラ用記録装置は、所定の録画モードで監視カメラからの監視画像を記録し、記録された監視画像の管理作業が録画モードの停止中に行われる監視カメラ用記録装置であって、管理作業の終了を検知する管理作業終了検知手段と、管理作業終了検知手段が管理作業の終了を検知した場合、録画モードへ復帰させる録画モード復帰手段と、を備えることを特徴とする。
【００１０】
また、本発明の監視カメラ用記録装置において、管理作業終了検知手段は、監視カメラ用記録装置が設置された収納キャビネットの扉が閉じられたことを検知する扉センサを含むことを特徴とする。
【００１１】
更に、本発明の監視カメラ用記録装置において、管理作業終了検知手段は、監視カメラ用記録装置の設置場所における照明の消灯を検知する照明センサを含むことを特徴とする。
【発明の効果】
【００１２】
管理作業の終了を検知し、この検知した状態に基づいて、録画モードへ復帰させることとしたので、管理作業後に作業員が録画モードに復帰し忘れても録画モードへ復帰させることができる。
【発明を実施するための最良の形態】
【００１３】
以下、発明を実施するための形態（以下、実施形態という）について、図面を参照し説明する。
【００１４】
実施形態１
図１は、本実施形態の監視カメラを備えた監視システムの全体構成を示す図であり、図２は、本実施形態の監視カメラ用記録装置の構成を示す図である。
【００１５】
図１に示すように、ビルのエントランス１０やエレベータ１２に監視カメラ１４が設置されている。監視カメラ１４は、例えば、ＣＣＤ撮像素子を用いた工業用カメラであり、その監視目的に応じて赤外線カメラや可視光カメラが用いられる。この監視カメラ１４で撮影された監視画像は、監視カメラ用記録装置１６に入力され、記録される。
【００１６】
図２に示すように、監視カメラ用記録装置１６は、制御部１８を有し、この制御部１８は、マイクロコンピュータ等で構成され、全体動作を制御する。この制御部１８には、監視画像入力部２０，外部信号入力部２２，管理作業終了信号入力部２４，操作部２６，記録部２８が接続され、これら各部からの入力に基づいて監視画像の記録を行う。本実施形態において、制御部１８は、録画モード復帰手段としての機能を有する。
【００１７】
監視画像入力部２０は、監視カメラ１４で撮像された監視画像を受け付け、制御部１８に供給する。外部信号入力部２２は、図示しない外部のセンサからの侵入者等を検知した異常検知信号を受け付け、制御部１８に供給する。管理作業終了信号入力部２４には、後に詳細に説明するように、管理作業終了検知センサが接続され、管理作業の終了を示す検知信号を受け付け、制御部１８に供給する。操作部２６は、録画釦３０、停止釦３２等を含み、録画釦３０は、記録装置を録画モードに設定し、停止釦３２は、録画モードを停止させる。記録部２８は、監視画像入力部２０及び制御部１８を介して入力される監視画像を設定された録画モードに従って記録する。
【００１８】
以下、監視カメラ用記録装置１６における通常の録画動作について説明する。
【００１９】
監視画像入力部２０を介して監視画像が制御部１８に入力されると、制御部１８は、所定の録画モードで監視画像を記録部２８に記録する。ここで、録画モードとは、監視カメラ１４で撮影された監視画像を記録するための記録条件であり、種々の設定がある。例えば、監視カメラ１４が撮像する監視画像を全て記録する設定や、所定のスケジュール、例えば、月曜日〜金曜日の９時から６時まで撮影された監視画像を記録する設定がある。また、監視画像中の画像に動きがある場合のみ記録する設定、外部信号入力部２２から異常信号が入力されたときに監視画像を記録する設定がある。本実施形態の監視カメラ用記録装置１６は、監視画像を記録部２８に記録する。従って、「録画モード」が設定されている場合、監視カメラ用記録装置１６は、録画モードに設定されている条件に従って監視画像を録画可能な状態におかれており、設定された録画モードにおいて条件が整わずに録画していない状態を含むものである。
【００２０】
次に、本実施形態の特徴的な構成について説明する。
【００２１】
この監視カメラ用記録装置１６は、例えば、管理室３４に設置された収納キャビネット３６に収納されている。また、この管理室３４は、出入口ドア３８や照明４０を備える。
【００２２】
監視カメラ１４が設置されたビルから異常通報があった場合、作業員は、管理室３４の出入口ドア３８の鍵を開けて管理室３４に入室し、照明４０を点灯させ、収納キャビネット３６の扉を開いて、監視カメラ用記録装置１６の監視画像の確認作業や保存作業等の管理作業を行う。この管理作業を行う場合、作業員は、停止釦３２を操作して、録画モードを解除し、監視画像の確認を行う。管理作業終了後、作業員は、録画釦３０を操作し、録画モードに復帰させる。その後、作業員は収納キャビネット３６の扉を閉め、照明４０を消灯させ、出入口ドア３８から退室し、出入口ドア３８に鍵をかける。しなしながら、背景技術で説明したように、作業員が録画釦３０を押し忘れ、管理作業終了後に録画モードが復帰していないという問題があった。
【００２３】
本実施形態においては、この作業員の管理作業に伴う作業員の動作に着目し、この管理作業の終了を検知する管理作業終了検知センサを設け、この管理作業終了検知センサが作業終了を検知すると、自動的に録画モードに復帰させることを特徴としている。
【００２４】
本実施形態において、管理作業終了検知センサとして、扉センサ４２、照明センサ４４、鍵センサ４６が設けられている。これら扉センサ４２、照明センサ４４、鍵センサ４６は、監視カメラ用記録装置１６に接続されており、それぞれの検知信号は、管理作業終了信号入力部２４に入力される。
【００２５】
扉センサ４２は、収納キャビネット３６に設けられ、監視カメラ用記録装置１６が設置された収納キャビネット３６の扉の戸閉を検知する。上述したように、管理作業が終了すると、作業員は、収納キャビネット３６の扉を閉めるので、この収納キャビネット３６の戸閉から管理作業は終了したと考えることができる。扉センサ４２が検知した扉閉信号は、管理作業終了信号入力部２４に入力される。
【００２６】
照明センサ４４は、監視カメラ用記録装置１６の設置場所の照明４０の消灯を検知する。なお、この照明センサ４４は、管理室３４内の照度を検知し、一定の照度以下の場合に消灯とするようにしても良い。この管理室３４の消灯も、収納キャビネット３６の戸閉と同様に、管理作業が終了したと考えることができる。照明センサ４４が検知した消灯信号は、管理作業終了信号入力部２４に入力される。鍵センサ４６は、管理室３４の出入口ドア３８に設けられた鍵の施錠状態を検知する。作業員は、管理作業が終了すると管理室３４を退室するので、管理作業が終了したとみなすことができる。鍵センサ４６が検知した施錠信号は、管理作業終了信号入力部２４に入力される。
【００２７】
このように、扉センサ４２の扉閉信号、照明センサ４４の消灯信号、鍵センサ４６の施錠信号は、管理作業終了信号として、管理作業終了信号入力部２４に入力される。
【００２８】
管理作業終了信号入力部２４は、管理作業終了信号が入力されると、制御部１８に供給する。制御部１８は、管理作業終了信号が入力されると、管理作業のために停止されている録画モードを復帰させる。すなわち、監視カメラ用記録装置１６を録画可能状態へ復帰させる。本実施形態の場合、扉閉信号、消灯信号、施錠信号のいずれか１つが入力されたら、録画モードに復帰させれば良い。これにより、管理作業の終了に伴い、作業員が録画釦３０を操作し忘れてても、監視カメラ用記録装置１６を自動的に録画モードへ復帰させることができる。作業員が、録画釦３０を忘れずに操作し、既に録画モードに復帰させた場合には、その設定に従う。
【００２９】
本実施形態では、管理作業終了検知センサとして、扉センサ４２、照明センサ４４、鍵センサ４６を設けているが、全てを備えていなくてもいずれか１つでも良い。いずれかセンサでも管理作業の終了とみなすことができるからである。また、監視カメラ用記録装置１６が設置される場所や管理作業状態に応じて、管理作業の終了とみなせるような動作を検知するような上記以外のセンサを管理作業終了検知センサとして設けても良い。
【００３０】
上述した管理作業終了検知センサ、例えば、扉センサ４２は、収納キャビネット３６の戸閉を検知している。ここで、扉の動作状態、すなわち開閉状態を検知して、開閉信号を制御部１８に供給し、制御部１８で扉の戸閉を判断しても良い。同様に、照明センサ４４、鍵センサ４６についても、その動作状態を検知して、供給された検知信号から制御部１８で管理作業の終了を判断しても良い。
【００３１】
図３は、本実施形態の動作を説明するフローチャートである。この動作説明では、扉センサ４２が設けられた場合を例に取り、説明する。
【００３２】
制御部１８は、録画モードが停止中か否か判断する（Ｓ１０）。Ｓ１０でＹＥＳの場合、制御部１８は、扉センサ４２から扉閉信号が入力されたか否か判断する（Ｓ１２）。Ｓ１２でＹＥＳの場合、制御部１８は、管理作業が終了したと判定し、録画モードへ復帰させる（Ｓ１４）。Ｓ１０，Ｓ１２でＮＯと判断した場合は、処理を終了する。
【００３３】
このように、本実施形態においては、収納キャビネット３６の扉が閉じた場合に、管理作業が終了したとして録画モードに復帰させる。これにより、作業員が録画釦３０を押し忘れた場合でも、録画モードへ復帰させることができ、ヒューマンエラーによる監視画像の欠損を防止することができる。
【００３４】
なお、管理作業終了検知センサとして、照明センサ４４又は鍵センサ４６を設けている場合には、上記フローチャート中、Ｓ１２を置き換えて実施すれば良い。
【００３５】
実施形態２
本実施形態の監視カメラ用記録装置１６は、扉センサ４２，照明センサ４４，鍵センサ４６が設けられ、これらのセンサがすべてが動作したときに録画モードへ復帰させる点が特徴である。本実施形態の監視カメラ用記録装置１６の装置構成については、図１，２に示す実施形態１と同様であるので、詳細な説明は省略し、本実施形態の動作について説明する。図４は、本実施形態の動作を説明するフローチャートである。
【００３６】
制御部１８は、録画モードが停止中か否か判断する（Ｓ１０）。Ｓ１０でＹＥＳの場合、制御部１８は、扉センサ４２から扉閉信号が入力されたか否か判断する（Ｓ１２）。Ｓ１２でＹＥＳの場合、制御部１８は、消灯信号が入力されたか否か判断する（Ｓ１４）。Ｓ１４でＹＥＳの場合、制御部１８は、施錠信号が入力されたか否か判断する（Ｓ１６）。Ｓ１２，Ｓ１４，Ｓ１６でＹＥＳの場合、制御部１８は、録画モードへ復帰させる（Ｓ１８）。Ｓ１２，Ｓ１４，Ｓ１６でＮＯの場合、すなわち、全ての作業終了検知信号が検知されていない場合には、管理作業が終了していないものとして、録画モードに設定せずにＳ１０に戻る。
【００３７】
このように、本実施形態では、全ての管理作業終了検知センサが管理作業の終了を検知したときに録画モードへ復帰させている。このように、本実施形態では、管理作業の終了ではないが、扉センサ４２、照明センサ４４、鍵センサ４６の何れかが動作した場合に、録画モードへの復帰を防止することができる。すなわち、管理作業中に出入口ドア３８の鍵だけをかけて外出したい場合に、録画モードに復帰することを防止することができる。
【図面の簡単な説明】
【００３８】
【図１】実施形態１の監視カメラを備えた監視システムの全体構成を示す図である。
【図２】実施形態１の監視カメラ用記録装置の構成を示す図である。
【図３】実施形態１の動作を説明するフローチャートである。
【図４】実施形態２の動作を説明するフローチャートである。
【符号の説明】
【００３９】
１０  エントランス、１２  エレベータ、１４  監視カメラ、１６  監視カメラ用記録装置、１８  制御部、２０  監視画像入力部、２２  外部信号入力部、２４  管理作業終了信号入力部、２６  操作部、２８  記録部、３０  録画釦、３２  停止釦、３４  管理室、３６  収納キャビネット、３８  出入口ドア、４０  照明、４２  扉センサ、４４  照明センサ、４６  鍵センサ。
【図１】
2006197185.tif 000003
【図２】
2006197185.tif 000004
【図３】
2006197185.tif 000005
【図４】
2006197185.tif 000006